(57)【特許請求の範囲】
【請求項１】
タービン（２０）のフロー・チャンネル（１２）内の一揃いのベーン（２５）の可変位置をコントロールするためのアレンジメント（１０）であって、前記アレンジメントは、前記一揃いのベーン（２５）を担持するノズル・リング（２３）を含み、前記ベーン（２５）のそれぞれは、前記ノズル・リング（２３）内に収容されるベーン・ピン（２７）、および前記フロー・チャンネル（１２）内において前記ベーン（２５）の回転位置をコントロールするべく配されたベーン変位駆動伝達機構（２２）に接続されており、前記ベーン変位駆動伝達機構（２２）が、次の部材、すなわち
−ピボット支持されたピボット・アクスル（３１）、前記ピボット・アクスル（３１）上に配された第１のアクチュエータ・アーム（３３）であって、駆動アクチュエータ（１１）に接続可能な第１のアクチュエータ・アーム（３３）と、前記ピボット・アクスル（３１）上に配された第２のアクチュエータ・アーム（３５）であって、ユニゾン・リング（３９）をピボット駆動するために前記ユニゾン・リング（３９）と係合されるピン（４１）に接続される第２のアクチュエータ・アーム（３５）と、前記ユニゾン・リング（３９）のピボット変位を介した前記ベーン（２５）の変位のために各ベーン・ピン（２７）および前記ユニゾン・リング（３９）に接続されるベーン・アーム（４３）とを含み、
それにおいて前記ベーン（２５）の前記ピボット変位を制限するためにストップねじ（４５）が配され、前記第１のアクチュエータ・アーム（３３）は、キャビティ（５９）を形成するエンクロージャ（５７）の外側に位置し、前記エンクロージャ（５７）の中には、前記ユニゾン・リング（３９）が配置され、前記ユニゾン・リング（３９）は、前記駆動アクチュエータ（１１）のために外部からアクセスすることが可能であり、かつ前記第２のアクチュエータ・アーム（３５）が前記エンクロージャ（５７）の内側に位置決めされ、それにおいて、前記ストップねじ（４５）が、前記ピボット・アクスル（３１）より前記ベーン変位駆動伝達機構（２２）内の前記ベーン・ピン（２７）の方により近く配置される前記ベーン変位駆動伝達機構（２２）内の部材（３５，３９，４３）の変位を制限するべく配されること、および前記ストップねじ（４５）が前記エンクロージャ（５７）を通って延び、前記ストップねじ（４５）が係合する前記ベーン変位駆動伝達機構（２２）内の前記部材（３５，３９，４３）のためのエンド・ストップ（６１）を規定することを特徴とするベーンの可変位置をコントロールするためのアレンジメント。
【請求項２】
前記ストップねじ（４５）が、前記第２のアクチュエータ・アーム（３５）の変位を制限するべく配されることを特徴とする、請求項１に記載のベーンの可変位置をコントロールするためのアレンジメント。
【請求項３】
前記ストップねじ（４５）が、前記ユニゾン・リング（３９）の変位を制限するべく配されることを特徴とする、請求項１に記載のベーンの可変位置をコントロールするためのアレンジメント。
【請求項４】
前記ストップねじ（４５）が、前記ベーン・アーム（４３）の変位を制限するべく配されることを特徴とする、請求項１に記載のベーンの可変位置をコントロールするためのアレンジメント。
【請求項５】
タービン・ハウジング（３）内にタービン取入れ口（１５）が規定され、前記タービン・ハウジング（３）にフランジ部材（１３）が取り付けられ、前記フランジ部材（１３）および／または前記タービン・ハウジング（３）がエンクロージャ（５７）を規定する、請求項１乃至４のいずれかに記載のベーン（２５）の可変位置をコントロールするためのアレンジメント。
【請求項６】
前記ストップねじ（４５）が、フランジ部材（１３）またはタービン・ハウジング（３）に配されるボア（６３）内に取り付けられることを特徴とする、請求項１乃至５のいずれかに記載のベーンの可変位置をコントロールするためのアレンジメント（１０）。
【請求項７】
前記フランジ部材（１３）および／またはタービン・ハウジング（３）が鋳造要素であること、および前記ストップねじ（４５）のための座（４７）が前記鋳造要素（１３，３）のうちの１つの中に一体的に形成されることを特徴とする、請求項６に記載のベーンの可変位置をコントロールするためのアレンジメント。
【請求項８】
エンジンのためのターボチャージャであって、
−シャフト（６５）上に回転可能にマウントされたタービン（２０）と、
−シャフト（６６）上にマウントされた圧縮器インペラ（６７）と、
−取入れ口（１９）および吐き出し口（２１）を有し、かつ前記圧縮器インペラ（６７）を囲い込む圧縮器ハウジング（５）と、
−前記タービン・シャフト（６５）および圧縮器シャフト（６６）を回転可能に支持するためのベアリング手段（６９）を含む中央ハウジング（９）と、
−取入れ口（１５）および吐き出し口（１７）を含むタービン・ハウジング（３）であって、それの中において、エンジンからの排気ガスを、環状通路（１２）を通して前記タービン（２０）へ指向させるためのボリュート（１６）を形成するタービン・ハウジング（３）と、
−前記中央ハウジング（９）と前記タービン・ハウジング（３）の間にマウントされるフランジ部材（１３）とを含み、それにおいて、前記ターボチャージャが、さらに、請求項１乃至７のいずれかに記載の環状通路（１２）内のベーン（２５）の可変位置をコントロールするためのアレンジメント（１０）を含むことを特徴とするターボチャージャ。
【請求項９】
請求項８に記載のターボチャージャを含むエンジン。
【発明の詳細な説明】
【技術分野】
【０００１】
本発明は、特許請求の範囲の請求項１に記載のプリアンブルによるタービンのフロー・チャンネル内のベーンの可変位置をコントロールするためのアレンジメントに関する。
本発明は、さらに、エンジンのためのターボチャージャであって、シャフト上に回転可能にマウントされたタービン、シャフト上にマウントされた圧縮器インペラ、取入れ口および吐き出し口を有し、かつ前記圧縮器インペラを囲い込む圧縮器ハウジング、タービンのシャフトおよび圧縮器のシャフトを回転可能に支持するためのベアリング手段を含む中央ハウジング、取入れ口および吐き出し口を含むタービン・ハウジングであって、それの中において、前記エンジンからの排気ガスを、環状の通路を通じて前記タービンへ指向させるためのボリュートを形成するタービン・ハウジング、および前記中央ハウジングと前記タービン・ハウジングの間にマウントされるフランジ部材を含み、さらにタービンの取入れ口のベーンの可変位置をコントロールするためのアレンジメントを含むターボチャージャに関する。
【０００２】
本発明はまた、ターボチャージャ・ユニットを含むエンジンにも関係する。
【背景技術】
【０００３】
商用の乗り物において使用される過給式ディーゼル内燃エンジンは、しばしば、可変取入れ口形状のターボチャージャが装備されて、有効タービン断面が調整可能に設定できるようになっている。これは、タービン・ハウジング内の環状通路内に配されている一揃いのベーンの角度位置を調整することによって達成される。環状通路は、タービン・ハウジング内に規定されるスクロール形状のボリュートをタービンが配置されるタービン・チャンバに接続している。それぞれのベーンは、ノズル・リング内に収容されるベーン・ピンに接続されている。ベーン・ピンは、ベーン・アームに接続されており、それがベーン・ピンをユニゾン・リングに接続する。ユニゾン・リングのピボット運動が、環状通路内のベーンを同時にピボット駆動することを可能にする。ユニゾン・リングは、タービン・ハウジング内に形成されるトレースまたはタービン・ハウジングに取り付けられるフランジ部材内にピボット運動可能な形で配される。ユニゾン・リングのピボット運動を達成するために、ユニゾン・リング変位アレンジメントが提供される。ユニゾン・リング変位部材は、前記フランジ部材内に収容されるピボット・アクスル、前記ピボット・アクスル上に配される第１のアクチュエータ・アームであって、駆動アクチュエータに接続可能な第１のアクチュエータ・アーム、前記ピボット・アクスル上に配される第２のアクチュエータ・アームであって、ユニゾン・リングと係合されるピンに接続される第２のアクチュエータ・アームを含む。第１のアクチュエータ・アーム上で作用するアクチュエータを使用してピボット・アクスルを回転し、それによってピボット・アクスルに接続された第２のアクチュエータ・アームを回転する。ピンを介してユニゾン・リングに接続されている第２のアクチュエータ・アームは、ユニゾン・リングの、それの回転軸周りのピボット駆動を可能にする。ベーンのエンド位置をコントロールするために、特にベーンの設定を行なってベーンの先端の間における狭いギャップの範囲を定めるとき、ストップねじが使用される。先行技術によれば、ストップねじが、それの位置の１つにおいてエンド・ストップを規定することによって第１のアクチュエータ・アームの移動の範囲を定める。２つのストップねじを使用して、ベーンのそれぞれのエンド位置を変更可能に規定することができる。ベーンによって規定される最小スロート・エリアに対応するエンド位置がもっとも精密な位置決めを必要とすることから、この位置のためにストップねじを使用すれば充分とすることができ、そのほかの位置は、アクチュエータまたは固定エンド・ストップによって規定できる。
【０００４】
その種のアレンジメントの例が、特許文献１の中に示されている。
【先行技術文献】
【特許文献】
【０００５】
【特許文献１】米国特許第４，６５９，２９５号明細書
【発明の概要】
【発明が解決しようとする課題】
【０００６】
目的は、最大または最小のスロート・エリアのうちの少なくとも１つのコントロールにおける精度を改善することである。
【課題を解決するための手段】
【０００７】
本発明の目的は、特許請求の範囲の請求項１によるタービン取入れ口のベーンの可変位置をコントロールするためのアレンジメントによって達成される。
【０００８】
本発明によれば、タービン取入れ口のフロー・チャンネル内のベーンの可変位置をコントロールするためのアレンジメントであって、一揃いのベーンを担持するノズル・リングを含むアレンジメントが提供される。ベーンは、タービン・ハウジング内の環状通路内にマウントされることになる。この環状通路は、タービン・ハウジング内に規定されるスクロール形状のボリュートをタービンが配置されるタービン・チャンバに接続している。前記ベーンのそれぞれは、ノズル・リング内に収容されるベーン・ピンに接続されている。ベーンの回転位置は、ベーン・ピンを回転することによって設定される。これは、次に示す部材を含むベーン変位駆動伝達機構、すなわち、
−ピボット支持されたピボット・アクスル、前記ピボット・アクスル上に配された第１のアクチュエータ・アームであって、駆動アクチュエータに接続可能な第１のアーム、前記ピボット・アクスル上に配された第２のアクチュエータ・アームであって、ユニゾン・リングをピボット駆動するためにユニゾン・リングと係合されるピンに接続される第２のアーム、およびユニゾン・リングのピボット変位を介した前記ベーンの変位のために各ベーン・ピンおよびユニゾン・リングに接続されるベーン・アームを含むベーン変位駆動伝達機構を介して達成される。ベーンの位置のコントロールは、したがってユニゾン・リングを介してベーン・ピンに接続されるベル・クランク・システムを操作することによって実行される。ベル・クランク・メカニズムは、第１および第２のアームを有するピボット・アクスルを含む。第１のアームは、アクチュエータの動作によって作動することができる。第２のアームは、ピンを介してユニゾン・リングに接続される。ユニゾン・リングは、一揃いのベーン・ピンを回転可能に支持するノズル・リング周りに回転可能に配される。ベーン・アームは、ユニゾン・リングを回転することによるベーン・ピンの回転のために各ベーン・ピンとユニゾン・リングを接続している。
【０００９】
ストップねじは、前記ベーンのピボット変位を制限するために配される。本発明によれば、ストップねじが、前記ピボット・アクスルよりベーン変位駆動伝達機構内のベーン・ピンの方により近く配置される前記ベーン変位駆動伝達機構内の部材の変位を制限するべく配される。ベーンの位置を精密にコントロールできる能力は、ベーン変位駆動伝達機構内の部材の位置の精度に依存する。ストップねじが部材と接触してエンド位置を規定するとき、部材間の遊び、部材の許容度、および部材の有限の剛性がベーンの実際の位置の精度を下げる。この理由のために、ストップねじは、ベーン・ピンと近いベーン変位駆動伝達機構の部材に作用するべく配される必要がある。
【００１０】
ストップねじを、ベル・クランク・メカニズムの第２のアクチュエータ・アームに作用するべく配すると好都合であることが明らかになっている。ベル・クランク・メカニズムは、通常、タービン・ハウジングから延びるフランジ部材に、フランジ部材を通ってピボット・アクスルが延びるようにマウントされ、アクチュエータのために外部からアクセス可能な第１のアクチュエータ・アーム、およびフランジ部材および／またはタービン・ハウジングによって形成されるエンクロージャの内側に位置決めされる第２のアームを有する。第２のアクチュエータ・アームへのストップねじの作用を可能にすることによって、タービン・ハウジングおよび／またはフランジ部材の実際の構成に応じてフランジ部材内またはタービン・ハウジング内にストップねじのための座を配することが可能になる。タービン・ハウジングおよびフランジ部材は、通常、鋳造部材である。したがって、ストップねじのための座の位置を、フランジ部材上にマウント用ブラケットを配する現在の実践と比較して、低いコストにおいて、許容度に対する高い要求を伴って製造することが可能である。通常、低いコストにおいて高い精度を伴ってマウント用ブラケットをマウントすることは可能でない。さらにまた、ブラケット自体が、それらの低い剛性ならびに追加の遊びによって許容度を増加させる。
【００１１】
ストップねじがユニゾン・リングに対して作用することを可能にすることも好都合である。この理由のためにはユニゾン・リングにストップ部材が提供されなければならないが、それをリング上のノッチまたは凹みによって形成することができる。このストップ部材は、ユニゾン・リングの外側周囲または側面に位置決めできる。ストップねじがユニゾン・リングに作用する場合においては、タービン・ハウジングと一体的に配される座の中にストップねじが配されることになる。
【００１２】
実施態様においては、ベーン・アームの変位を制限するべくストップねじが配される。この実施態様においては、ストップねじが可能な限りベーン・ピンの近くに配置される。
【００１３】
別の実施態様においては、タービン・ハウジング内にタービン取入れ口が規定される。前記タービン・ハウジングにフランジ部材が取り付けられ、当該フランジ部材および／またはタービン・ハウジングは、前記ユニゾン・リングが中に配置されるエンクロージャを規定する。第１のアクチュエータ・アームは、アクチュエータ・メカニズムによるアクセスのためにエンクロージャの外側に配置されることになる。ストップねじがベル・クランク・メカニズムのピボット・アクスルよりベーン・ピンの方により近く配置されるベーン変位駆動伝達機構内の部材のためのエンド・ストップを規定するエンド位置を有する一方でストップねじへのアクセスを有するために、ピボット・アクスルが前記エンクロージャを通っても延びており、ストップねじが前記エンクロージャを通って延びる。
【００１４】
フランジ部材および／またはタービン・ハウジングは、鋳造要素として形成することができる。ストップねじのための座は、前記鋳造要素のうちの１つと一体的に形成することができる。
【００１５】
本発明はまた、上で述べたとおりのベーンの可変位置をコントロールするためのアレンジメントを含むターボ・アレンジメント、およびベーンの可変位置をコントロールするためのアレンジメントが装備されたターボ・アレンジメントを含む内燃エンジンにも関係する。
【００１６】
以下、添付図面を参照して本発明をさらに詳細に説明する。
【図面の簡単な説明】
【００１７】
【図１】本発明によるターボ・アレンジメントの斜視図である。
【図２】図１に示されているターボ・アレンジメントの長さの外延に沿った断面図である。
【図３】図２に示されている断面図の部分拡大図である。
【図４】ベーン変位駆動伝達機構の部分図である。
【図５】タービン・ハウジングに向かって見たときの、図１に示されているターボ・アレンジメントの長さの外延を横切る位置４−４において獲得された断面図である。
【図６ａ】圧縮器ハウジングに向かって見たときの、図１に示されているターボ・アレンジメントの長さの外延を横切る位置４−４において獲得された断面図である。
【図６ｂ】２本のセットねじが使用される代替実施態様を示した断面図である。
【図７】ストップねじがユニゾン・リングのストップ表面と係合している本発明の第２の実施態様を示した部分斜視図である。
【図８】ストップねじがベーン・アームのストップ表面と係合している本発明の第２の実施態様を示した部分斜視図である。
【発明を実施するための形態】
【００１８】
図１に、エンジンのためのターボチャージャ１を示す。ターボチャージャ１は、概して、特許文献１で述べられているターボチャージャとして構成することができる。しかしながら、上記の本発明の説明の中で詳細に述べたとおり、特許文献１とは異なる態様でストップねじが配されていることは明らかである。そのほかのすべてのこのターボチャージャの部品は、特許文献１の開示に従って設計することができる。
【００１９】
ターボチャージャ１は、タービン・ハウジング３内に配された排気ガス・タービン、圧縮器ハウジング５内に配された圧縮器、タービン・ハウジング３の側面部分にマウントされたフランジ部材７、タービンを圧縮器と接続するシャフトのための通路を形成するベアリングまたは中央ハウジング９を含む。
【００２０】
圧縮器ハウジングに接続されたブラケット１３上には、アクチュエータ１１がマウントされている。アクチュエータ１１は、ベーン変位駆動伝達機構内の第１のアーム３３と接続されるプッシュ・ロッド３７に接続されている。
【００２１】
タービン・ハウジングは、排気ガスを受入れる取入れ口１５を含み、当該排気ガスは、タービン・ハウジング内の環状通路を通ってタービン・ハウジング３内のスクロール形状のボリュート１６に供給され、すなわちこの環状通路は、スクロール形状のボリュートをタービン・チャンバに接続する。排気ガスは、吐き出し口１７を介して排出される。圧縮器ハウジング５は、空気を受入れるための取入れ口１９および排出開口２１を含む。
【００２２】
圧縮器への取入れ口チャンネル内に配されたベーンのピボット変位を制限するためにストップねじ４５が配されている。
【００２３】
図２および３から明らかなとおり、タービン・ハウジング３は、環状通路１２を通ってタービン２０へエンジンからの排気ガスを指向するためのボリュート１６を形成する。タービン２０は、タービン・シャフト６５上に回転可能にマウントされており、圧縮器シャフト６６上には圧縮器インペラ６７がマウントされている。圧縮器ハウジング５は、圧縮器インペラ６７を囲い込む。圧縮器シャフトおよびタービン・シャフトは、１つの部品として作ることができる。
【００２４】
中央ハウジング９は、タービン・シャフト６５および圧縮器シャフト６６を回転可能に支持するためのベアリング手段６９を含む。
【００２５】
図３および４にもっとも良好に図解されているとおり、アクチュエータ１１は、タービンのフロー・チャンネル内にある一揃いのベーン２５の可変位置をコントロールするためのアレンジメント１０に接続されている。このフロー・チャンネルは、スクロール形状のボリュート１６をタービン・チャンバ１８に接続する環状通路１２によって好ましく構成される。ベーン２５の可変位置をコントロールするためのアレンジメント１０は、一揃いのベーン２５を担持しているノズル・リング２３を含み、前記ベーン２５のそれぞれは、ノズル・リング２３内に収容されるベーン・ピン２７に接続されている。
【００２６】
ベーン２５の可変位置をコントロールするためのアレンジメント１０は、さらに、ベーン変位駆動伝達機構２２を含む。ベーン変位駆動伝達機構２２の部品を図４に示す。ベーン２５の回転位置は、ベーン変位駆動伝達機構２２を介して設定される。ベーン変位駆動伝達機構２２は、したがってベーン・ピン２７の回転によってベーンのピボット角度の設定を可能にする。
【００２７】
ベーン変位駆動伝達機構２２は、ベル・クランク・メカニズム２９、ユニゾン・リング３９、ベル・クランク・メカニズムとユニゾン・リング３９を接続するピン４１、およびベーン・ピン２７とユニゾン・リング３９を接続するベーン・アーム４３を含んでいる。ベル・クランク・メカニズム２９は、ユニゾン・リング３９を介してベーン・ピン２７と接続される。ベル・クランク・メカニズム２９は、第１および第２のアーム３３、３５を有するピボット・アクスル３１を含んでいる。第１のアーム３３は、アクチュエータ１１の動作によって作動することができる。この目的のために、アクチュエータ１１は、第１のアーム３３に接続されたプッシュ・ロッド３７に接続されている。ベーン変位駆動伝達機構２２は、さらに、ユニゾン・リング３９を含む。第２のアーム３５は、ピン４１を介してユニゾン・リング３９に接続されている。ユニゾン・リング３９は、一揃いのベーン・ピン２７を回転可能に支持しているノズル・リング２３に関して回転可能に配される。ベーン・アーム４３は、ユニゾン・リング３９の回転によってベーン・ピン２７を回転するために、各ベーン・ピン２７とユニゾン・リング３９を接続している。より詳細なユニゾン・リングおよびノズル・リングの機能については、特許文献１の中に説明が提供されている。
【００２８】
ベーン変位駆動伝達機構２２は、したがって、次に示す部材、すなわち、
ピボット支持されたピボット・アクスル３１、前記ピボット・アクスル３１上に配された第１のアクチュエータ・アーム３３であって、駆動アクチュエータ１１に接続可能な第１のアーム３３、前記ピボット・アクスル３１上に配された第２のアクチュエータ・アーム３５であって、ユニゾン・リング３９をピボット駆動するためにユニゾン・リング３９と係合されたピン４１に接続されている第２のアーム３５、ユニゾン・リング３９のピボット変位を介してベーン２５を変位させるために各ベーン・ピン２７およびユニゾン・リング３９に接続されているベーン・アーム４３を含んでいる。
【００２９】
ストップねじ４５が、前記ベーンのピボット変位を制限するために配される。ストップねじ４５は、前記ピボット・アクスルよりベーン変位駆動伝達機構内のベーン・ピンの方により近く配置される前記ベーン変位駆動伝達機構内の部材の変位を制限するべく配される。図１乃至６に示されている実施態様においては、ストップねじ４５が、第２のアクチュエータ・アーム３５の変位を制限するべく配されている。図５、６ａ、および６ｂにもっとも良好に表わされているとおり、ストップねじ４５は、フランジ部材７内に一体的に形成された座４７上に配されている。一体的に形成されるという表現は、フランジ部材が鋳造部材であること、またストップねじのための座がその鋳造部材の部分となることを表わす意図である。ボア４９は、第２のアームまたはストップねじ４５のための当接部材として働く第２のアーム上の突出部５１に届いている間におけるストップねじへの外部からのアクセスを可能にする。
【００３０】
図６ａは、１つの方向における移動を制限するための単一のストップねじが使用される実施態様を示しており、図６ｂは、２つの方向における移動を制限するために２つの設定ねじが使用される実施態様を示している。
【００３１】
図７に示されているところの追加の実施態様においては、ユニゾン・リング３９の変位を制限するべくストップねじ４５を設計することが可能である。この目的のために、半径方向に延びるストップ表面を規定する凹みまたは突出部をユニゾン・リング３９に備えることができる。ストップ表面５３へは、フランジ部材またはブラケット１４を通してアクセスすることができる。図７には、フランジ部材１３を通って延びているストップねじ４５と係合するためのストップ表面５３が備えられたユニゾン・リング３９が略図的に示されている。ここではストップ表面５３が突出部５５の一部となっているが、凹みを規定する壁の一部としてストップ表面を形成することも同様に適切となろう。
【００３２】
図８に示されているところの追加の実施態様においては、ベーン・アーム４３の変位を制限するべくストップねじ４５を設計することが可能である。ベーン・アームのストップ表面７１へは、フランジ部材またはブラケット１４を通してアクセスすることができる。図８には、フランジ部材１４を通って延びているストップねじ４５と係合するためのストップ表面７１が備えられたベーン・アーム４３が略図的に示されている。
【００３３】
図２および３から明らかなとおり、タービン取入れ口１５がタービン・ハウジング３内に規定されており、フランジ部材１４が前記タービン・ハウジング３に取り付けられている。フランジ部材１４および／またはタービン・ハウジング３は、キャビティ５９を形成するエンクロージャ５７を規定し、それの中に前記ユニゾン・リング３９が配置される。第１のアクチュエータ・アーム３３は、前記エンクロージャ５７の外側に配置される。ストップねじ４５は、エンクロージャ５７を通って延び、前記ストップねじ４５が係合する前記ベーン変位駆動伝達機構２２内の部材３５、３９、４３のためのエンド・ストップ６１を規定する。エンド・ストップ６１は、ストップねじ４５の端部分によって適切に形成することができる。
【符号の説明】
【００３４】
１    ターボチャージャ
３    タービン・ハウジング
５    圧縮器ハウジング
７    フランジ部材
９    ベアリング、中央ハウジング
１０  ベーンの可変位置をコントロールするためのアレンジメント
１１  アクチュエータ
１２  環状通路
１３  ブラケット、フランジ部材
１４  フランジ部材、ブラケット
１５  タービン取入れ口
１６  ボリュート
１７  吐き出し口
１８  タービン・チャンバ
１９  取入れ口
２０  タービン
２１  排出開口
２２  ベーン変位駆動伝達機構
２３  ノズル・リング
２５  ベーン
２７  ベーン・ピン
２９  ベル・クランク・メカニズム
３１  ピボット・アクスル
３３  第１のアーム
３５  第２のアーム
３７  プッシュ・ロッド
３９  ユニゾン・リング
４１  ピン
４３  ベーン・アーム
４５  ストップねじ
４７  座
４９  ボア
５１  突出部
５３  ストップ表面
５５  突出部
５７  エンクロージャ
５９  キャビティ
６１  エンド・ストップ
６５  タービン・シャフト
６６  圧縮器シャフト
６７  圧縮器インペラ
６９  ベアリング手段
７１  ストップ表面
【図１】
0005512823.tif 000002
【図２】
0005512823.tif 000003
【図３】
0005512823.tif 000004
【図４】
0005512823.tif 000005
【図５】
0005512823.tif 000006
【図６ａ】
0005512823.tif 000007
【図６ｂ】
0005512823.tif 000008
【図７】
0005512823.tif 000009
【図８】
0005512823.tif 000010